(57)【特許請求の範囲】
【請求項１】
払出を受けた遊技球を蓄え発射装置へ案内するための上皿を備える遊技機であって、
前記上皿の上部開口を覆う零れ球防止板を、開放状態において前記上皿側へ傾くよう開閉可能に前記上皿の遊技者側の側壁に軸支して配置したことを特徴とする遊技機。
【請求項２】
前記零れ球防止板を内部が視認可能な樹脂で形成したことを特徴とする請求項１に記載の遊技機。
【発明の詳細な説明】
【０００１】
【発明の属する技術分野】
この発明は、遊技球の入賞に対して賞球を払い出す遊技機に関し、特に、払出を受けた遊技球を蓄え発射装置へ案内するための上皿と、賞球を蓄えるための下皿とを備える遊技機に関するものである。
【０００２】
【従来の技術】
遊技機では、遊技盤に設けられた入賞口への入賞により、賞球（遊技球）が上皿賞球排出口から払い出され、上皿に蓄えられる。上皿に蓄えられた遊技球は、発射装置へ案内され、遊技盤へ打ち出されるようになっている。賞球が払い出される際に、上皿に球が満杯になっていると、賞球は遊技機の内部側から下皿へ自動的に誘導されるように構成されている。
【０００３】
現在、球貸し機は、遊技機と遊技機との間、即ち、遊技機に隣接して配置され、該球貸し機に現金を入れると、球貸し機に備えられた誘導樋を介して、投入金額に対応する数の遊技球が上皿へ送られるようになっている。
【０００４】
【発明が解決しようとする課題】
しかしながら、上皿に遊技球が蓄えられていない状態において、賞球が勢いよく払い出されると、即ち、賞球が上皿に蓄えられた遊技球に当たることなく直接上皿内部の側壁に当たると、側壁を飛び越えて島設備の受け台や、ホールの床上にこぼれ落ちることがあった。一方、大当たりが発生し、大量の賞球が払い出された際に、内部での下皿への誘導が適切に行い得ず、賞球が上皿から溢れてしまうこともあった。
【０００５】
更に、上皿に少し遊技球が残っている状態で、遊技者が球貸し機に５００円硬貨を投入すると、上皿が一杯になり、誘導樋を介して送られた遊技球が上皿から零れ落ちることがあった。上皿から球が零れ落ちると、当該遊技機の遊技者に取って損失であると共に、他の遊技者にとってもホール内を歩行する際の障害となる。
【０００６】
本発明は、上述した課題を解決するためになされたものであり、その目的とするところは、上皿からの球零れを防止し得る遊技機を提供することにある。
【０００７】
【課題を解決するための手段・効果】
【００１２】
請求項１では、払出を受けた遊技球を蓄え発射装置へ案内するための上皿を備える遊技機であって、
前記上皿の上部開口を覆う零れ球防止板を、開放状態において前記上皿側へ傾くよう開閉可能に前記上皿の遊技者側の側壁に軸支して配置したことを技術的特徴とする。
【００１３】
請求項１では、零れ球防止板を、開閉可能に軸支して配置したため、上皿から遊技球が零れるのを防止できる。また、零れ球防止板を上皿に軸支して開閉可能に設けてあるため、零れ球防止板を開くことで、容易に上皿から遊技球を取り出し、上皿へ遊技球を加えることができ、一方、球詰まりが発生しても簡単に直すことができる。更に、開放状態で零れ球防止板が上皿側に傾くようにする事で、上皿に遊技球を加える際に手を添え易い。
【００１６】
請求項２では、前記零れ球防止板を内部が視認可能な樹脂で形成してあるため、上皿に貯まった遊技球の状態を視認することができる。
【００２１】
【発明の実施の形態】
以下、本発明の遊技機の実施形態について図を参照して説明する。
[第１実施形態]
まず、第１実施形態のパチンコ機の主要構成について、本実施形態のパチンコ機を正面から見た説明図である図１を参照して説明する。
【００２２】
パチンコ機１０には、内枠１１が開閉可能に備えられており、その内枠１１には、金枠１２が開閉可能に取付けられており、さらに金枠１２には、ガラス枠４６が開閉可能に取付けられている。ガラス枠４６の裏面側には、遊技盤１３が配置されている。内枠１１の右側には、ガラス枠４６開閉用の鍵を差し込む鍵穴１５を備えた鍵穴飾り１６が設けられている。
【００２３】
ガラス枠４６の下には、前面板１８が設けられており、この前面板１８の左側上部には、賞球が導出される上皿賞球排出口１９が形成されており、この上皿賞球排出口１９の排出側には、その上皿賞球排出口１９から排出された賞球を溜めておくための上皿２０が取り付けられている。上皿２０の下方には、その上皿２０で収容しきれなくなった賞球を排出するための下皿賞球排出口３１が形成されており、この下皿賞球排出口３１の排出側には、その下皿賞球排出口３１から排出された賞球を溜めておくための下皿３２が設けられている。
【００２４】
下皿３２の右方には、上皿２０から供給された遊技球を遊技盤１３へ発射する発射モータ（図示せず）を操作するための発射ハンドル４３が、回転可能に取付けられており、その発射ハンドル４３には、発射途中で発射を停止するための発射停止ボタン４４が設けられている。また、上皿２０の右方には、上皿２０に溜められた賞球を下皿３２へ抜くための上皿球抜きレバー２８がスライド可能に取付けられている。
【００２５】
図２（Ａ）は、図１中に示す上皿２０の上面図であり、図３（Ａ）、図３（Ｂ）は斜視図である。上皿２０の上部開口２０ａには、零れ球防止板２２が配置されている。零れ球防止板２２の平面図を図２（Ｂ）に、底面図を図２（Ｃ）に、側面図を図２（Ｄ）に示す。第１実施形態の零れ球防止板２２は、スライド式の扉板２４と本体板２６とから構成されている。扉板２４及び本体板２６は、共に透明な合成樹脂で形成されている。扉板２４の上部には、つまみ２４ａが取り付けられている。本体板２６の裏面には、図２（Ｃ）に示すように遊技球を整列させるための凸状のリブ２６ａが、遊技球の案内方向（流下方向）と平行に複数設けられている。
【００２６】
図３は、パチンコ機の上皿の斜視図であり、（Ａ）は零れ球防止板２２の扉板２４の開状態を、（Ｂ）は扉板２４の閉状態を示している。零れ球防止板２２の本体板２６は、上皿２０の遊技者側の側壁２０ｂ及び本体側の側壁２０ｃに固定されている。一方、扉板２４は、遊技者側の側壁２０ｂ及び本体側の側壁２０ｃに設けられた案内溝２０ｄにより摺動可能に支持されている。即ち、つまみ２４ａを把持し、図３（Ａ）中に示すように扉板２４を右側へ摺動させることで、上皿２０の上部を開口することができ、反対に、図３（Ｂ）に示すように、左側へ摺動させることで、上皿２０の上部開口２０ａを覆うことができる。
【００２７】
第１実施形態では、上皿２０の上部開口２０ａに零れ球防止板２２を配置したため、上皿２０から遊技球が零れるのを防止できる。また、零れ球防止板２２に扉板２４を設けてあるため、図３（Ａ）に示すように扉板２４を開けることで、容易に上皿２０から遊技球を取り出し、上皿２０へ遊技球を加えることができ、一方、球詰まりが発生しても簡単に直すことができる。
【００２８】
また、零れ球防止板２２は、上皿２０の上部開口２０ａの一部を覆うように配置、即ち、上皿２０の上部開口２０ａ全体を覆わない部分を設けてあるため、遊技球の零れを防止する部位にのみ零れ球防止板２２を配置できる。
【００２９】
更に、扉板２４は、上皿２０の内側の側壁２０ｂ、２０ｃに設けられた案内溝２０ｄによって摺動可能に保持される。このため、扉板２４を容易に開閉することができる。
【００３０】
零れ球防止板を構成する扉板２４及び本体板２６を、内部が視認可能な透明な合成樹脂で形成してあるため、上皿２０に貯まった遊技球の状態を視認することができる。
【００３１】
また更に、図２（Ｃ）に示すように本体板２６の裏面側に、遊技球を整列させるための凸状のリブ２６ａを、遊技球の案内方向と平行に複数設てあるため、上皿内での球詰まりを防止できる。なお、扉板２４側にもリブを設けることもできる。
【００３２】
[第２実施形態]
引き続き、本発明の第２実施形態に係るパチンコ機について図４を参照して説明する。第２実施形態のパチンコ機は、図１を参照して上述した第１実施形態に係るパチンコ機と同様に構成されている。但し、第１実施形態では、零れ球防止板２２が扉板２４を備えたのに対して、第２実施形態では、零れ球防止板２２自体が開閉する構成になっている。該零れ球防止板２２は、第１実施形態と同様に透明な合成樹脂により形成されている。
【００３３】
図４（Ａ）は、第２実施形態の零れ球防止板２２の平面図を、図４（Ｂ）は、上皿の斜視図であって、零れ球防止板２２を閉じた状態を、４（Ｃ）は、零れ球防止板２２を開いた状態を示している。
【００３４】
図４（Ａ）に示すように、零れ球防止板２２の上端部には、つまみ２２ａが取り付けられており、左右の側部には、零れ球防止板２２を回動させるための支軸２２ｂが形成されている。図４（Ｂ）に示すように、上皿２０の遊技者側の側壁２０ｂには、上皿内部に向かって傾斜のついた凹部２０ｅが設けられ、凹部２０ｅの側部には、図４（Ａ）に示す零れ球防止板２２の支軸２２ｂを嵌入するための図示しない嵌入孔が形成されている。
【００３５】
図４（Ｃ）に示すように、上皿の本体側の側壁２０ｃには、零れ球防止板２２の端部と当接し、該零れ球防止板２２を位置決めするための凸部２０ｆが形成されている。また、零れ球防止板２２の裏面に、第１実施形態と同様に遊技球を整列させるための凸状のリブ２２ｃが、遊技球の案内方向（流下方向）と平行に複数設けられている。
【００３６】
零れ球防止板２２は、図４（Ｃ）に示す開放状態において、上皿２０側へ傾くように取り付けられている。このため、上皿２０から遊技球を取り出し、また、上皿２０へ遊技球を加える際に手が添えやすくなっている。
【００３７】
第２実施形態では、上皿２０の上部開口２０ａに零れ球防止板２２を配置したため、上皿２０から遊技球が零れるのを防止できる。また、零れ球防止板２２を上皿２０に軸支して開閉可能に設けてあるため、零れ球防止板２２を開くことで、容易に上皿から遊技球を取り出し、上皿へ遊技球を加えることができ、一方、球詰まりが発生しても簡単に直すことができる。
【００３８】
[第３実施形態]
引き続き、本発明の第３実施形態に係るパチンコ機について図５を参照して説明する。第３実施形態のパチンコ機は、図４を参照して上述した第２実施形態に係るパチンコ機と同様に構成されている。但し、第２実施形態では、零れ球防止板２２が開閉する構成になっていたのに対して、第３実施形態では、零れ球防止板２２がパチンコ機本体側に収容可能に構成されている。該零れ球防止板２２は、第１、第２実施形態と同様に透明な合成樹脂により形成されている。
【００３９】
図５（Ａ）は、第３実施形態の零れ球防止板２２の斜視図を、図５（Ｂ）は、上皿の斜視図であって、零れ球防止板２２を本体側へ収容した状態を、図５（Ｃ）は、零れ球防止板２２を閉じた状態を示している。
【００４０】
図５（Ａ）に示すように、零れ球防止板２２の上部には、つまみ２２ａが取り付けられており、端部には零れ球防止板の脱落防止用のフランジ形状から成る規制部２２ｄが形成されている。
【００４１】
図５（Ｂ）、図５（Ｃ）に示すように、上皿２０の本体側の側壁２０ｃには、零れ球防止板２２を摺動させるスリット状の収納口（開口）２０ｇが設けられている。零れ球防止板２２は、図５（Ｂ）に示す本体側に収容した状態で、つまみ２２ａが上皿２０の本体側側壁２０ｃに当接する。一方、図５（Ｃ）に示すように、最大まで引き出された状態で、零れ球防止板２２の先端部が上皿の遊技者側の側壁２０ｂに当接すると共に、零れ球防止板の後端の規制部２２ｄが、本体側の側壁２０ｃの内側（図示せず）に当接するように構成されている。なお、図示しないが、零れ球防止板２２の裏面には、遊技球を整列させるための凸状のリブを遊技球の案内方向（流下方向）と平行に複数設てある。
【００４２】
第３実施形態では、図５（Ｂ）に示す零れ球防止板２２を収容した状態でも、また、図５（ｃ）に示す上皿の上部開口２０ａを零れ球防止板２２が覆った状態のいずれでも遊技ができる。このため、不要と考える遊技者は、零れ球防止板２２を本体側へ収容させ、目に付かない状態で遊技することが可能である。
【００４３】
第３実施形態では、上皿２０の上部開口２０ａに零れ球防止板２２を配置したため、上皿２０から遊技球が零れるのを防止できる。また、零れ球防止板２２を本体内へ収容可能に設けてあるため、零れ球防止板２２を収容することで、容易に上皿から遊技球を取り出し、上皿へ遊技球を加えることができ、一方、球詰まりが発生しても簡単に直すことができる。
【００４４】
[第４実施形態]
引き続き、本発明の第４実施形態に係るパチンコ機について図６を参照して説明する。図６（Ａ）は、第４実施形態のパチンコ機の上皿の上面図であり、図６（Ｂ）は上皿の斜視図である。第４実施形態のパチンコ機は、図３を参照して上述した第１実施形態に係るパチンコ機と同様に、零れ球防止板２２が、スライド式の扉板２４と本体板２６とから構成されている。但し、第４実施形態では、扉板２４の端部に挿入口２４ｂが設けられている。挿入口２４ｂには、図６（Ｂ）に示すよう現金球貸し機６０から遊技球を上皿へ誘導する誘導樋６２が挿入される。なお、図示しないが、第１実施形態と同様に、本体板２６の裏面には、遊技球を整列させるための凸状のリブが、遊技球の案内方向（流下方向）と平行に複数設けられている。
【００４５】
現金球貸し機６０は、投入された金額（例えば、１００円、５００円硬貨、１０００円紙幣）に対応する個数の遊技球を誘導樋６２を介してパチンコ機の上皿２０へ送り出す。第４実施形態では、零れ球防止板２２に、現金球貸し機６０の誘導樋６２と連通し得る開口（挿入口）２４ｂを設けてあるため、球貸し機６０からの遊技球を、例えば、上皿２０に球が残っている状態で５００円硬貨が投入されても、また、１０００円紙幣が投入されても、上皿２０から溢れさせることがない。
【００４６】
[第５実施形態]
引き続き、本発明の第５実施形態に係るパチンコ機について図７を参照して説明する。図７（Ａ）は、第５実施形態のパチンコ機の上皿の斜視図であり、図７（Ｂ）は上皿の上面図である。図６を参照して上述した第４実施形態は、現金球貸し機が隣接して配置されるいわゆる現金機を対象とした。これに対して、第５実施形態は、カード球貸し機が隣接して配置されるカード機を対象としている。係るカード機では、貸し球は、パチンコ機内部から賞球と同様に上皿賞球排出口１９を介して上皿２０へ直接供給される。
【００４７】
第５実施形態のパチンコ機では、上皿賞球排出口１９の開口部直上にのみ零れ球防止板２２が配置されている。即ち、上皿賞球排出口１９の開口部直上に零れ球防止板２２を配置したため、カード球貸し機（図示せず）を操作して貸し出される遊技球が、上皿賞球排出口１９から上皿２０へ供給され側壁２０ｂに衝突した際、また、賞球として上皿賞球排出口１９から排出される遊技球が、上皿２０の遊技者側の側壁２０ｂに衝突した際にも、上皿２０から零れさせることがない。また、上皿賞球排出口１９口の開口部直上にのみ零れ球防止板２２を配置してあるため、遊技球を上皿から取り出し、また、上皿へ供給することができるため、閉機構等を設ける必要がなく廉価に構成することができる。更に、この第５実施形態では、零れ球防止板２２を透明にしなくとも、上皿２０内の遊技球の状態を確認することができるため、上皿２０と同色の非樹脂で形成することで見栄えを高めることができる。なお、非透明に構成した場合には、遊技球にコートされた油脂が零れ球防止板２２の裏面に付着しても、汚れが目立たない利点がある。
【図面の簡単な説明】
【図１】本発明の実施形態に係るパチンコ機の正面図である。
【図２】（Ａ）は図１に示すパチンコ機の上皿の上面図であり、（Ｂ）は上皿の上部開口に配置された零れ球防止板の平面図であり、（Ｃ）は零れ球防止板の底面図であり、（Ｄ）は零れ球防止板の側面図である。
【図３】図１に示すパチンコ機の上皿の斜視図であり、（Ａ）は零れ球防止板の扉板の開状態を、（Ｂ）は扉板の閉状態を示している。
【図４】（Ａ）は、第２実施形態の零れ球防止板の平面図を、（Ｂ）は、第２実施形態の上皿の斜視図であって、零れ球防止板を閉じた状態を、（Ｃ）は、零れ球防止板を開いた状態を示している。
【図５】（Ａ）は、第３実施形態の零れ球防止板の斜視図を、（Ｂ）は、第３実施形態の上皿の斜視図であって、零れ球防止板を収容した状態を、（Ｃ）は、零れ球防止板を閉じた状態を示している。
【図６】（Ａ）は、第４実施形態のパチンコ機の上皿の上面図であり、（Ｂ）は、上皿の斜視図である。
【図７】（Ａ）は、第５実施形態のパチンコ機の上皿の斜視図であり、（Ｂ）は、上皿の上面図である。
【符号の説明】
１０  パチンコ機
１３  遊技盤
１９  上皿賞球排出口
２０  上皿
２０ａ  上部開口
２０ｂ  側壁
２０ｃ  側壁
２０ｄ  案内溝
２０ｅ  凹部
２０ｆ  凸部
２０ｇ  収納口（開口）
２２  零れ球防止板
２２ａ  つまみ
２２ｂ  支軸
２２ｃ  リブ
２２ｄ  規制部
２４  扉板（扉）
２４ａ  つまみ
２４ｂ  挿入口（開口）
２６  本体板
２６ａ  リブ
２８  球抜きレバー
３１  下皿賞球排出口
３２  下皿
６０  現金球貸し機
６２  誘導樋
【図１】
0003756433.tif 000002
【図２】
0003756433.tif 000003
【図３】
0003756433.tif 000004
【図４】
0003756433.tif 000005
【図５】
0003756433.tif 000006
【図６】
0003756433.tif 000007
【図７】
0003756433.tif 000008